(57)【要約】【課題】粉体、粒体或いは液体が充填された内装容器を収納する紙製容器で、胴部の平面強度並びに座屈強度を得るとともに、落下・衝撃等にも強く、且つ生産性、経済性にも優れた紙製容器を提供するものである。【解決手段】正面板及び背面板にはそれぞれ左右方向に折罫を介して補強縁片、補強縁貼着片が連設され、前記一対の側板にはそれぞれ左右方向に折罫を介して胴部貼着片が連設されており、該胴部貼着片が略直角に折り曲げられてそれぞれ前記正面板及び背面板の左右両端部に貼着されるとともに、前記補強縁片及び補強縁貼着片が内周四隅に三角柱状構造を形成するよう折り曲げられ、且つ該補強縁貼着片が前記一対の側板の折罫からやや中央寄り内壁に貼着されることにより、筒状胴部を形成したことを特徴とする紙製容器である。【選択図】　　　　図１
2004018077.tif 000002
【特許請求の範囲】
【請求項１】
厚紙等シート状部材で形成してなる、天部、底部及び筒状胴部を形成する一対の側板、正面板、背面板から構成される略直方体の容器であって、前記正面板及び背面板にはそれぞれ左右方向に折罫を介して補強縁片、補強縁貼着片が連設され、前記一対の側板にはそれぞれ左右方向に折罫を介して胴部貼着片が連設されており、該胴部貼着片が略直角に折り曲げられてそれぞれ前記正面板及び背面板の左右両端部に貼着されるとともに、前記補強縁片及び補強縁貼着片が内周四隅に三角柱状構造を形成するよう折り曲げられ、且つ該補強縁貼着片が前記一対の側板の折罫からやや中央寄り内壁に貼着されることにより、筒状胴部を形成したことを特徴とする紙製容器。
【請求項２】
前記一対の側板が矩形状の底板の対向する辺に折罫を介して連設されており、且つ該底板の他の対向する辺には折罫を介してそれぞれ下部貼着片が連設されるとともに、該下部貼着片が前記正面板及び背面板の下端部に貼着されることにより底部が形成されていることを特徴とする請求項１記載の紙製容器。
【請求項３】
矩形状の天板の対向する辺には折罫を介してそれぞれ上部接合片を連接し、且つ他の対向する辺には折罫を介してそれぞれ上部貼着片が連設されており、前記上部接合片がそれぞれ前記一対の側板の上端部に貼着されるとともに、前記上部貼着片がそれぞれ前記正面板及び背面部の上端部に貼着されて天部を閉じたことを特徴とする請求項１または２記載の紙製容器。
【請求項４】
前記天板が前記側板の一方の上端辺から折罫を介して連設され、その延長上には折罫を介して枠部貼着片が連設され、且つ前記天板の対向する辺には上部貼着片が折罫を介してそれぞれ連設されており、前記枠部貼着片が前記側板に対向する側板の上端部に貼着されるとともに、前記上部貼着片がそれぞれ前記正面板及び背面板の上端部に貼着されて天部を閉じたたことを特徴とする請求項１または２記載の紙製容器。
【請求項５】
前記側板の上端辺からは折罫を介して重合天部構成板が連設され、前記天部構成板及び重合天部構成板の対向する辺には上部貼着片が折罫を介してそれぞれ連設されており、前記天部構成板が重合天部構成板に貼着されるとともに、前記上部貼着片がそれぞれ前記正面板及び背面板の上端部に貼着されて天部を閉じたたことを特徴とする請求項１または２記載の紙製容器。
【請求項６】
前記側板の一方の上端辺および且つ対向する一方の側板の上端辺からはそれぞれ折罫を介して天部構成板が連設され、前記それぞれの天部構成板の対向する辺には上部貼着片がそれぞれ折罫を介して連設されており、前記それぞれの天部構成板が天部中央部分で突き合わされ、前記上部貼着片がそれぞれ折り曲げられて、前記正面板から上部貼着片、天部構成板、上部貼着片、背面板に跨って封緘テープを用いて天部を閉じたたことを特徴とする請求項１または２記載の紙製容器。
【請求項７】
矩形状の底板の対向する辺にはそれぞれ折罫を介して下部接合片が連設され、他の対向する辺にはそれぞれ折罫を介して下部貼着片が連設されており、前記下部接合片がそれぞれ前記側板の下端部に貼着されるとともに、前記下部貼着片がそれぞれ前記正面板及び背面板の下端部に貼着されて底部を閉じ、矩形状の天板の対向する辺にはそれぞれ折罫を介して上部接合片が連設され、他の対向する辺にはそれぞれ折罫を介して上部貼着片が連設されており、前記上部接合片がそれぞれ前記側板の上端部に貼着されるとともに、前記上部貼着片がそれぞれ前記正面板及び背面板の上端部に貼着されて天部を閉じたことを特徴とする請求項１記載の紙製容器。
【発明の詳細な説明】
【０００１】
【発明の属する技術分野】
本発明は、紙製容器に関し、特に大容量の内容物を収納した場合に起こる外装容器の変形、破損を防止するとともに収納された内容物を保護する紙製容器を提供することにある。
【０００２】
【従来の技術】
従来から、大容量の粉体、粒体、液体等の製品をポリプロピレン等の内袋に充填し、段ボール等の函体に収納するいわゆるバッグインボックスが業務用紙製容器として広く使用されており、廃棄性やリサイクルの面からも、それまでの金属缶や成型容器に替わるものとして普及している。しかしながら、紙製容器は段ボールによる構造が一般的で、大容量の内容物に対しては強度面での問題が多く、輸送時の落下や衝撃等により、外装の破損しいては内袋の破損、内容物の流出までの危険が考えられた。また内袋が与える内圧で外装容器が変形する、一般に胴膨れと呼ばれる現象も、変形の著しい場合破損につながる危険が考えられた。これらは外装容器が紙製であることから、高湿度下や屋外での雨水等の影響、輸送保管時の積み上げ等、さらに苛酷な条件となることがあった。もちろん上記のように内袋を用いない場合も、内容物が大容量或いは大量もしくは重量物である場合、同様に外装の変形・破損、内容物の破損が発生した。
【０００３】
これらは流通、保管の為に強固な保護機能を必要とされ、実公平７−９７６９号や特開平８−２８２７３５号に見られるような補強部分を胴部に設けた構造が技術開示されている。
実公平７−９７６９号では、筒状胴部のコーナー部内周にコーナー補強ポストが一体に形成される構造となっており、内容物からかかる内圧やその他の荷重が分散され胴膨れが防止でき、積圧による座屈や破損が防止できるとされているが、補強ポスト構造を本体と一体とした事で、必要とされる材料展開寸法が大となり、コスト増となる経済性の問題がある。また、貼着部分が対向する面で違う構造のため、妻板部では内圧による糊剥がれ等の可能性があった。
【０００４】
また、特開平８−２８２７３５号では、外箱と枠体との組み合わせによる構造となっているため、胴膨れを防止し、積層した際の容器の潰れ防止面では効果が増大するものの、部分的には三層もの壁構造となることから、必要とされる材料展開寸法が大となり、やはりコスト増となる事が明らかであり、経済性に問題があった。
【０００５】
【発明が解決しようとする課題】
そこで本発明は、コーナー部分に補強構造を設け、さらには構造各板面を貼着により強化することで、外力ならびに内圧による外装容器の変形、破損を防ぎ、内容物を保護しながら、しかも使用材料をできる限り縮減することで安価な紙製容器を提供しようとするものである。
【０００６】
【課題を解決するための手段】
上記課題を解決する為に、本発明の紙製容器は厚紙あるいは段ボール等シート状部材を用いて、天部、底部及び筒状胴部を形成する一対の側板、正面板、背面板から構成される略直方体の容器であって、前記正面板及び背面板にはそれぞれ左右方向に折罫を介して補強縁片、補強縁貼着片が連設され、前記一対の側板にはそれぞれ左右方向に折罫を介して胴部貼着片が連設されており、該胴部貼着片が略直角に折り曲げられてそれぞれ前記正面板及び背面板の左右両端部に貼着されるとともに、前記補強縁片及び補強縁貼着片が内周四隅に三角柱状構造を形成するよう折り曲げられ、且つ該補強縁貼着片が前記一対の側板の折罫からやや中央寄り内壁に貼着されることにより、筒状胴部を形成したことを特徴とする紙製容器である。
【０００７】
請求項２の発明は、前記一対の側板が矩形状の底板の対向する辺に折罫を介して連設されており、且つ該底板の他の対向する辺には折罫を介してそれぞれ下部貼着片が連設されるとともに、該下部貼着片が前記正面板及び背面板の下端部に貼着されることにより底部が形成されていることを特徴とし、上記のごとく筒状胴部の内周四隅に三角柱状構造の補強縁を有する紙製容器である。
【０００８】
請求項３の発明は、矩形状の天板の対向する辺には折罫を介してそれぞれ上部接合片を連接し、且つ他の対向する辺には折罫を介してそれぞれ上部貼着片が連設されており、前記上部接合片がそれぞれ前記一対の側板の上端部に貼着されるとともに、前記上部貼着片がそれぞれ前記正面板及び背面部の上端部に貼着されて天部を閉じたことを特徴とし、上記のごとき底部構成と、筒状胴部の内周四隅に三角柱状構造の補強縁を有する紙製容器である。
【０００９】
請求項４の発明は、前記天板が前記側板の一方の上端辺から折罫を介して連設され、その延長上には折罫を介して枠部貼着片が連設され、且つ前記天板の対向する辺には上部貼着片が折罫を介してそれぞれ連設されており、前記枠部貼着片が前記側板に対向する側板の上端部に貼着されるとともに、前記上部貼着片がそれぞれ前記正面板及び背面板の上端部に貼着されて天部を閉じたたことを特徴とし、請求項２記載の底部構成と、筒状胴部の内周四隅に三角柱状構造の補強縁を有する紙製容器である。
【００１０】
請求項５の発明は、前記側板の上端辺からは折罫を介して重合天部構成板が連設され、前記天部構成板及び重合天部構成板の対向する辺には上部貼着片が折罫を介してそれぞれ連設されており、前記天部構成板が重合天部構成板に貼着されるとともに、前記上部貼着片がそれぞれ前記正面板及び背面板の上端部に貼着されて天部を閉じたたことを特徴とし、請求項２記載の底部構造と、筒状胴部の内周四隅に三角柱状構造の補強縁を有する紙製容器である。
【００１１】
請求項６の発明は、前記側板の一方の上端辺および且つ対向する一方の側板の上端辺からはそれぞれ折罫を介して天部構成板が連設され、前記それぞれの天部構成板の対向する辺には上部貼着片がそれぞれ折罫を介して連設されており、前記それぞれの天部構成板が天部中央部分で突き合わされ、前記上部貼着片がそれぞれ折り曲げられて、前記正面板から上部貼着片、天部構成板、上部貼着片、背面板に跨って封緘テープを用いて天部を閉じたたことを特徴とし、請求項２記載の底部構造と、筒状胴部の内周四隅に三角柱状構造の補強縁を有する紙製容器である。
【００１２】
請求項７の発明は、矩形状の底板の対向する辺にはそれぞれ折罫を介して下部接合片が連設され、他の対向する辺にはそれぞれ折罫を介して下部貼着片が連設されており、前記下部接合片がそれぞれ前記側板の下端部に貼着されるとともに、前記下部貼着片がそれぞれ前記正面板及び背面板の下端部に貼着されて底部を閉じ、矩形状の天板の対向する辺にはそれぞれ折罫を介して上部接合片が連設され、他の対向する辺にはそれぞれ折罫を介して上部貼着片が連設されており、前記上部接合片がそれぞれ前記側板の上端部に貼着されるとともに、前記上部貼着片がそれぞれ前記正面板及び背面板の上端部に貼着されて天部を閉じたことを特徴とした、筒状胴部の内周四隅に三角柱状構造の補強縁を有する紙製容器である。
【００１３】
本発明は、厚紙或いは段ボール等で形成される外観略直方体容器の筒状胴部四隅部に、三角柱状の補強縁部分が構成されることで容器内壁面は略八角形となるので、内容物或いは内装容器が内壁面に与える内圧や輸送時に生じる衝撃、振動による偏った荷重は分散され、外壁面への変形荷重は軽減される。また各コーナーは空間となっている為に、輸送時あるいは取扱い時の角部落下等衝撃を受けた際にも内容物或いは内装容器への衝撃が軽減される。さらに本発明では、胴部構成板が貼着接合されている為、それぞれの面の強度上昇が得られる。この為、輸送時或いは保管時の積み上げによる座屈及びこれによる内容物或いは内装容器への荷重、破袋等破損を防止することが出来る。また内圧による胴膨れも軽減される。
【００１４】
【発明の実施の形態】
以下、本発明を実施例にもとづいて詳述する。図１は本発明の基本構造を示す斜視図。図２は図１の基本構造の横断面図である。図３は本発明の一実施例の斜視図。図４はその展開図。図５は本発明第２の実施例の斜視図。図６はその展開図。図７は本発明第３の実施例の斜視図で（Ａ）は完成状態、（Ｂ）は天部開放状態を示す。図８はその展開図。図９は本発明第４の実施例の斜視図で（Ａ）は完成状態、（Ｂ）は天部開放状態を示す。図１０はその展開図。図１１は本発明第５の実施例の斜視図。図１２はその展開図である。
【００１５】
本発明の紙製容器は、図１、図２の基本構造に示されるように、胴部が正面板１０、側板２、背面板１１、側板２から構成され、それぞれの側板２と胴部貼着片５が折り曲げられてなる直角構造と、正面板１０及び背面板１１とそれぞれに連接された補強縁片１２、補強縁貼着片１３が折り曲げられてなる角度構造で貼着接合されることで、直角二等辺三角形状の柱構造がその内部に形成されると共に、正面板１０、背面板１１の外面にはそれぞれ胴部貼着片５が貼着され、側板２の内面には補強縁貼着片１２が貼着されることで、部分的に積層構造となりそれぞれ面として補強される。尚、各々の貼着・接合については、基本的にエマルジョン系糊やホットメルト等による糊着が考えられるが、ステープル封緘による接合も可能である。又、内装容器としては、プラスチックフィルムを用いて製作された袋状容器やプラスチックの薄肉成型品容器などが考えられるが、内容製品の特質に合わせて適宜設計されるものとする。
【００１６】
図３、図４で示される実施例は、天板ブランクと、側板２、底板３、側板２の順に連設されたブランクと、正面板ブランク、背面板ブランクとの４ピースからなる構造で、先ず一対の側板２と正面板１０と背面板１１とで構成される胴部を貼着接合し、次に底板３の上下延長上に設けたそれぞれ正面板１０、背面板１１への下部貼着片７を貼着接合し、内装容器或いは内容製品を投入した後、天板１の上下延長上に設けたそれぞれ正面板、背面板への上部貼着片６と、左右延長上に設けた側板への上部接合片８を貼着接合して外装が完成する。
【００１７】
図５、図６で示される実施例は、側板２、底板３、側板２、天板１、枠部貼着片４の順に連設されたブランクと、正面板ブランク、背面板ブランクとの３ピースの構成からなる構造で、天板１を開蓋した状態で先ず一対の側板２と正面板１０と背面板１１とで構成される胴部を貼着接合し、次に底板３の上下延長上に設けたそれぞれ正面板１０、背面板１１への下部貼着片７を貼着接合し、内装容器或いは内容製品を投入した後、天板１を閉じ、枠部貼着片４及び上部貼着片６を順次貼着接合して外装が完成する。
【００１８】
図７、図８で示される実施例は、天部構成板１ａ、側板２、底板３、側板２、重合天部構成板１ｂの順に連設されたブランクと、正面板ブランク、背面板ブランクとの３ピースからなる構造で、天部構成板１ａおよび重合天部構成板１ｂを開蓋した状態で先ず一対の側板２と正面板１０と背面板１１とで構成される胴部を貼着接合し、次に底板３の上下延長上に設けたそれぞれ正面板１０、背面板１１への下部貼着片７を貼着接合し、内装容器或いは内容製品を投入した後、天部構成板１ａおよび重合天部構成板１ｂを貼着し、天部構成板１ａ及び重合天部構成板１ｂの上下延長上に設けたそれぞれ正面板１０、背面板１１への上部貼着片６が正面板１０及び背面板１１に貼着されて外装が完成する。
【００１９】
図９、図１０で示される実施例は、天部構成板１ａ、側板２、底板３、側板２、天部構成板１ａ´の順に連設されたブランクと、正面板ブランク、背面板ブランクとの３ピースからなる構造で、天部構成板１ａおよび天部構成板１ａ´を開蓋した状態で先ず一対の側板２と正面板１０と背面板１１とで構成される胴部を貼着接合し、次に底板３の上下延長上に設けたそれぞれ正面板１０、背面板１１への下部貼着片７を貼着接合し、内装容器或いは内容製品を投入した後、天部構成板１ａ、１ａ´を突き合わせて閉じ、封緘テープ５０を正面板１０、上部貼着片６、突き合わされた天部構成板１ａ、１ａ´、上部貼着片６、背面板１１に跨って貼着封緘して外装が完成するものである。
【００２０】
図１１、図１２で示される実施例は、天板ブランクと、一対の側板ブランクと、正面板ブランク、背面板ブランク及び底板ブランクとの６ピースからなる構造で、先ず一対の側板２と正面板１０と背面板１１とで構成される胴部を貼着接合し、次に底板３の上下延長上に設けたそれぞれ正面板１０、背面板１１への下部貼着片７、左右延長上に設けた側板２への下部接合片９を貼着接合した後、内装容器或いは内容製品を投入し、天板１の上下延長上に設けたそれぞれ正面板１０、背面板１１への上部貼着片６と、左右延長上に設けた側板２への上部接合片８を貼着接合して外装が完成する。
【００２１】
【発明の効果】
以上のごとく、本発明の紙製容器は、外観略直方体の容器であって、筒状胴部の内周四隅部に、三角柱状の補強縁部分が形成されることで、輸送時或いは保管時の積み上げによる座屈及びこれによる内装容器或いは内容製品への荷重による破袋や破損を防止することが出来る。また容器内壁面は略八角形となるので、内装容器或いは内容製品が内壁面に与える内圧や輸送時に生じる衝撃、振動による偏った荷重は分散され、外壁面の変形や破損は防止或いは軽減される効果がある。また各コーナーは空間となっている為に、輸送時あるいは取扱い時の角部落下等衝撃を受けた際にも内装容器或いは内容製品への衝撃が軽減される効果がある。
【００２２】
さらに本発明では、筒状胴部を構成する一対の側板、正面板及び背面板がそれぞれ胴部貼着片および補強縁貼着片で貼着接合されている為、それぞれの面の均等な強度上昇が得られる。この為、輸送時或いは保管時の積み上げによる座屈及びこれによる内装容器或いは内容製品への荷重による破袋や破損を防止或いは軽減することが出来る。また内圧による胴部構成各面の胴膨れも軽減される効果がある。
【００２３】
従来技術の前述実公平７−９７６９号や特開平８−２８２７３５号では、補強構造構成部分を二重構造にしたり、外装ケースの内側に別体として入れることで、その効果を得ようとしているが、その為必要とされる資材が大きくなり、コストも増大することとなった。本発明では各構成面を必要最小限で接合しているため資材を少なく出来る。試算によれば、実公平７−９７６９号に開示された補強構造を一体に設けた容器に比して、使用用紙面積比で約３割程度の縮減が図れることで、コスト的にも安価な容器を提供する効果を有する。
【図面の簡単な説明】
【図１】本発明の基本構造を示す斜視図である。
【図２】図１の基本構造の横断面図である。
【図３】本発明の一実施例の斜視図である。
【図４】図３の実施例の展開図である。
【図５】本発明第２の実施例の斜視図である。
【図６】図５の実施例の展開図である。
【図７】本発明第３の実施例の斜視図である。
【図８】図７の実施例の展開図である。
【図９】本発明第４の実施例の斜視図である。
【図１０】図９の実施例の展開図である。
【図１１】本発明第５の実施例の斜視図である。
【図１２】図１１の実施例の展開図である。
【符号の説明】
１…　　　　　天板
２…　　　　　側板
３…　　　　　底板
４…　　　　　枠部貼着片
５…　　　　　胴部貼着片
６…　　　　　上部貼着片
７…　　　　　下部貼着片
８…　　　　　上部接合片
９…　　　　　下部接合片
１０…　　　　　正面板
１１…　　　　　背面板
１２…　　　　　補強縁片
１３…　　　　　補強縁貼着片
１ａ、１ａ´…　天部構成板
１ｂ…　　　　　重合天部構成板
５０…　　　　　封緘テープ
【図１】
2004018077.tif 000003
【図２】
2004018077.tif 000004
【図３】
2004018077.tif 000005
【図４】
2004018077.tif 000006
【図５】
2004018077.tif 000007
【図６】
2004018077.tif 000008
【図７】
2004018077.tif 000009
【図８】
2004018077.tif 000010
【図９】
2004018077.tif 000011
【図１０】
2004018077.tif 000012
【図１１】
2004018077.tif 000013
【図１２】
2004018077.tif 000014